(57)【要約】【課題】コックに取り付けることで、誰でも簡単に一定量の飲料を注出することができる飲料用補助コックを提供する。【解決手段】コックに取り付けて、前記コックを間接的に操作して一定量の飲料を注出するための飲料用補助コックであって、本体、定量筒、蓋、補助レバー、および、固定用キャップを有し、前記補助レバーの操作によって前記定量筒は前記本体の円筒部内において閉位置と開位置との間で回動し、前記閉位置では、前記円筒部の第１開口と前記定量筒の第２開口とが重なり合って、前記定量筒内と前記コックの注出口とが連通され、飲料が前記注出口から前記定量筒内へと注出され、前記定量筒内が飲料によって充填され、前記開位置では、前記第１開口が前記定量筒の側面によって閉じられており、前記定量筒の第３開口と前記円筒部の注ぎ口とが重なり合って、前記定量筒内の飲料が外部へと注出される。【選択図】図１
2020050419.tif 000002
【特許請求の範囲】
【請求項１】
飲料を注出するコックに取り付けて、前記コックを間接的に操作して一定量の飲料を注出するための飲料用補助コックであって、
前記コックは、コック本体、および、飲料を注出する注出口を有し、
前記飲料用補助コックは、本体、定量筒、蓋、補助レバー、および、固定手段を有し、
前記本体は、水平に延伸する円筒部、および、前記円筒部の上部に設けられたコック接続部を有し、
前記円筒部は、一端は壁で閉塞され、他端は前記定量筒を前記円筒部内に挿入するための開口となっており、前記円筒部内と前記コック接続部とは第１開口によって連通されており、前記円筒部から下方に突出する注ぎ口が設けられ、
前記定量筒は円筒形状を有し、一端は開口となっており、他端は壁で閉塞されており、前記円筒部内に回動可能に収容され、前記定量筒の開口は前記本体の閉塞された一端側に位置し、前記定量筒の他端を閉塞する壁に水平方向に突出する凸部が設けられ、前記定量筒の円筒形状の側面には、閉位置において前記第１開口と重なりあう第２開口、および、開位置において前記注ぎ口と重なり合う第３開口が設けられ、
前記蓋は、前記定量筒を収容した前記円筒部の開口を閉じるために、前記円筒部に着脱可能に取り付けられており、前記蓋に設けられた開口から前記定量筒の凸部が突出し、
前記補助レバーは、前記蓋の開口から突出した前記定量筒の凸部に固定されており、前記補助レバーの操作によって前記定量筒は前記円筒部内において前記閉位置と前記開位置との間で回動し、
前記固定手段によって、前記飲料用補助コックは前記コックに固定され、前記コックの注出口は、前記第１開口と連通した状態となり、
前記閉位置では、前記注ぎ口は前記定量筒の側面によって閉じられており、前記第１開口と前記第２開口とは重なり合って、前記定量筒内と前記コックの注出口とが連通され、飲料が前記注出口から前記定量筒内へと注出され、前記定量筒内が飲料によって充填され、
前記開位置では、前記第１開口が前記定量筒の側面によって閉じられており、前記第３開口と前記注ぎ口とが重なり合って前記定量筒内は外部と連通され、前記定量筒内の飲料が外部へと注出されることを特徴とする飲料用補助コック。
【請求項２】
前記コックは、前記コック本体から左右に突出する２つのレバー、および、前記注出口を開閉する弁を有し、前記レバーを下から上に押圧することにより前記弁が開き、前記レバーの押圧を解除すると、前記弁に作用している弾性力によって前記弁が閉じられて前記レバーが下方へと移動し、
前記コック接続部は、前記円筒部から上方に突出している壁からなるコック収容部であり、
前記固定手段は、前記コックと係合する第１係合部、および、前記本体と係合する第２係合部を有する固定用キャップであり、前記固定用キャップが前記コックおよび前記本体と係合されて固定されることにより、前記飲料用補助コックは前記コックに取り付けられ、この時、前記コックの２つのレバーが、前記収容部の壁の上端で上方に押圧され、前記弁が開いた状態であり、前記コックの注出口は、前記第１開口と連通していることを特徴とする請求項１に記載の飲料用補助コック。
【請求項３】
前記コックは、前記コック本体から左右に突出する２つのレバー、および、前記注出口を開閉する弁を有し、前記レバーを下から上に押圧することにより前記弁が開き、前記レバーの押圧を解除すると、前記弁に作用している弾性力によって前記弁が閉じられて前記レバーが下方へと移動し、
前記コック接続部は、前記円筒部から上方に突出しているコック収容部、および、前記コック収容部と一体になった係合部からなり、
前記コック収容部は、前記コックのコック本体、２つのレバー、および、注出口を収容し、前記コック収容部は内部に２つの仕切壁が設けられ、２つの前記仕切壁の間の内側の空間に、前記コック本体が収容され、前記仕切壁の上端に前記レバーが当接した状態で、前記コック収容部の前記仕切壁の外側の空間に前記レバーが収容され、前記コック収容部の側面には、係合手段が設けられており、前記係合部は、前記コックの鍔部を上方からスライドさせて係合させるために、前記鍔部の厚みに合わせた凹部が対向するように２つ設けられており、
前記固定手段は、前記本体のコック収容部と係合する係合部を有する固定用キャップであり、前記固定用キャップが前記コック収容部の係合手段と係合されて固定されることにより、前記飲料用補助コックは前記コックに取り付けられ、この時、前記コックの２つのレバーが、前記収容部の仕切壁の上端で上方に押圧され、前記弁が開いた状態であり、前記コックの注出口は、前記第１開口と連通していることを特徴とする請求項１に記載の飲料用補助コック。
【請求項４】
前記定量筒の円筒形状の側面は、一端の開口に向かって厚みが薄くなっていることを特徴とする請求項１〜３のいずれか１項に記載の飲料用補助コック。
【請求項５】
前記定量筒の開口の縁に水平方向に突出する突起が設けられており、前記突起によって、前記定量筒の端部と、前記円筒部の壁との間に隙間が生じていることを特徴とする請求項１〜４のいずれか１項に記載の飲料用補助コック。
【請求項６】
前記本体の円筒部内に、前記定量筒の開口の縁の突起と当接するストッパーを設け、前記定量筒の回動範囲を制限したことを特徴とする請求項５に記載の飲料用補助コック。
【請求項７】
前記第２開口と前記第３開口を、１つの開口で兼用したことを特徴とする請求項１〜６のいずれか１項に記載の飲料用補助コック。
【請求項８】
前記円筒部および前記定量筒は、前記開位置で上方で互いに連通する通気孔をそれぞれ有することを特徴とする請求項１〜７のいずれか１項に記載の飲料用補助コック。
【発明の詳細な説明】
【技術分野】
【０００１】
本発明は、飲料を注出するコックに取り付けて前記コックを間接的に操作して一定量の飲料を注出するための飲料用補助コックに関する。
【背景技術】
【０００２】
飲料が入った袋に飲料注出用のコックを直接取り付けておき、コックを操作することで簡単に袋などから飲料を注出することができるもの（特許文献１〜３参照）がこれまでに多数存在しており、使用するコックにも様々な構造が用いられている。
【０００３】
このようなコックは主にコストの問題で、簡単な構造を用いたものが多く、給水装置などに用いられているコックに比べて使い勝手の面で劣る場合が多い。そのため、コックの使い勝手を向上するために、コックを操作する別部材として用いられる補助用のコック（特許文献４参照）も存在する。
【先行技術文献】
【特許文献】
【０００４】
【特許文献１】特開２００３−２０６０００号公報
【特許文献２】特開２０１３−１６３５３９号公報
【特許文献３】特開２０１５−７４０号公報
【特許文献４】実公昭５５−１３２８０号公報
【発明の概要】
【発明が解決しようとする課題】
【０００５】
簡単な構造のコックとして、レバーを用いて弁を開閉する構造を用いたものが存在しているが、このような構造のコックの場合、飲料を注出するために、コックの本体から左右に突出しているレバーを下から押す操作を行うが、レバーは小さくて力を加え難いという問題があり、さらに、レバーを操作して注出量を微調整するのは難しく、さらに、一定量を繰り返し注出することはできないという問題もあった。
【０００６】
そこで、本発明は、コックに取り付けることで、誰でも簡単な操作で、一定量の飲料を毎回注出することができる飲料用補助コックを提供することを目的とする。
【課題を解決するための手段】
【０００７】
本発明の飲料用補助コックは、飲料を注出するコックに取り付けて、前記コックを間接的に操作して一定量の飲料を注出するための飲料用補助コックであって、前記コックは、コック本体、および、飲料を注出する注出口を有し、前記飲料用補助コックは、本体、定量筒、蓋、補助レバー、および、固定手段を有し、前記本体は、水平に延伸する円筒部、および、前記円筒部の上部に設けられたコック接続部を有し、前記円筒部は、一端は壁で閉塞され、他端は前記定量筒を前記円筒部内に挿入するための開口となっており、前記円筒部内と前記コック接続部とは第１開口によって連通されており、前記円筒部から下方に突出する注ぎ口が設けられ、前記定量筒は円筒形状を有し、一端は開口となっており、他端は壁で閉塞されており、前記円筒部内に回動可能に収容され、前記定量筒の開口は前記本体の閉塞された一端側に位置し、前記定量筒の他端を閉塞する壁に水平方向に突出する凸部が設けられ、前記定量筒の円筒形状の側面には、閉位置において前記第１開口と重なりあう第２開口、および、開位置において前記注ぎ口と重なり合う第３開口が設けられ、前記蓋は、前記定量筒を収容した前記円筒部の開口を閉じるために、前記円筒部に着脱可能に取り付けられており、前記蓋に設けられた開口から前記定量筒の凸部が突出し、前記補助レバーは、前記蓋の開口から突出した前記定量筒の凸部に固定されており、前記補助レバーの操作によって前記定量筒は前記円筒部内において前記閉位置と前記開位置との間で回動し、前記固定手段によって、前記飲料用補助コックは前記コックに固定され、前記コックの注出口は、前記第１開口と連通した状態となり、前記閉位置では、前記注ぎ口は前記定量筒の側面によって閉じられており、前記第１開口と前記第２開口とは重なり合って、前記定量筒内と前記コックの注出口とが連通され、飲料が前記注出口から前記定量筒内へと注出され、前記定量筒内が飲料によって充填され、前記開位置では、前記第１開口が前記定量筒の側面によって閉じられており、前記第３開口と前記注ぎ口とが重なり合って前記定量筒内は外部と連通され、前記定量筒内の飲料が外部へと注出されることを特徴とする。
【０００８】
前記コックは、前記コック本体から左右に突出する２つのレバー、および、前記注出口を開閉する弁を有し、前記レバーを下から上に押圧することにより前記弁が開き、前記レバーの押圧を解除すると、前記弁に作用している弾性力によって前記弁が閉じられて前記レバーが下方へと移動し、前記コック接続部は、前記円筒部から上方に突出している壁からなるコック収容部であり、前記固定手段は、前記コックと係合する第１係合部、および、前記本体と係合する第２係合部を有する固定用キャップであり、前記固定用キャップが前記コックおよび前記本体と係合されて固定されることにより、前記飲料用補助コックは前記コックに取り付けられ、この時、前記コックの２つのレバーが、前記収容部の壁の上端で上方に押圧され、前記弁が開いた状態であり、前記コックの注出口は、前記第１開口と連通している。
【０００９】
前記コックは、前記コック本体から左右に突出する２つのレバー、および、前記注出口を開閉する弁を有し、前記レバーを下から上に押圧することにより前記弁が開き、前記レバーの押圧を解除すると、前記弁に作用している弾性力によって前記弁が閉じられて前記レバーが下方へと移動し、前記コック接続部は、前記円筒部から上方に突出しているコック収容部、および、前記コック収容部と一体になった係合部からなり、前記コック収容部は、前記コックのコック本体、２つのレバー、および、注出口を収容し、前記コック収容部は内部に２つの仕切壁が設けられ、２つの前記仕切壁の間の内側の空間に、前記コック本体が収容され、前記仕切壁の上端に前記レバーが当接した状態で、前記コック収容部の前記仕切壁の外側の空間に前記レバーが収容され、前記コック収容部の側面には、係合手段が設けられており、前記係合部は、前記コックの鍔部を上方からスライドさせて係合させるために、前記鍔部の厚みに合わせた凹部が対向するように２つ設けられており、前記固定手段は、前記本体のコック収容部と係合する係合部を有する固定用キャップであり、前記固定用キャップが前記コック収容部の係合手段と係合されて固定されることにより、前記飲料用補助コックは前記コックに取り付けられ、この時、前記コックの２つのレバーが、前記収容部の仕切壁の上端で上方に押圧され、前記弁が開いた状態であり、前記コックの注出口は、前記第１開口と連通している。
【００１０】
前記定量筒の円筒形状の側面は、一端の開口に向かって厚みが薄くなっている。
【００１１】
前記定量筒の開口の縁に水平方向に突出する突起が設けられており、前記突起によって、前記定量筒の端部と、前記円筒部の壁との間に隙間が生じている。
【００１２】
前記本体の円筒部内に、前記定量筒の開口の縁の突起と当接するストッパーを設け、前記定量筒の回動範囲を制限する。
【００１３】
前記第２開口と前記第３開口を、１つの開口で兼用することも可能である。
【００１４】
前記円筒部および前記定量筒は、前記開位置で上方で互いに連通する通気孔をそれぞれ有する。
【発明の効果】
【００１５】
本発明の飲料用補助コックは、飲料を注出するコックに取り付けて、前記コックを間接的に操作して一定量の飲料を注出するための飲料用補助コックであって、前記コックは、コック本体、および、飲料を注出する注出口を有し、前記飲料用補助コックは、本体、定量筒、蓋、補助レバー、および、固定手段を有し、前記本体は、水平に延伸する円筒部、および、前記円筒部の上部に設けられたコック接続部を有し、前記円筒部は、一端は壁で閉塞され、他端は前記定量筒を前記円筒部内に挿入するための開口となっており、前記円筒部内と前記コック接続部とは第１開口によって連通されており、前記円筒部から下方に突出する注ぎ口が設けられ、前記定量筒は円筒形状を有し、一端は開口となっており、他端は壁で閉塞されており、前記円筒部内に回動可能に収容され、前記定量筒の開口は前記本体の閉塞された一端側に位置し、前記定量筒の他端を閉塞する壁に水平方向に突出する凸部が設けられ、前記定量筒の円筒形状の側面には、閉位置において前記第１開口と重なりあう第２開口、および、開位置において前記注ぎ口と重なり合う第３開口が設けられ、前記蓋は、前記定量筒を収容した前記円筒部の開口を閉じるために、前記円筒部に着脱可能に取り付けられており、前記蓋に設けられた開口から前記定量筒の凸部が突出し、前記補助レバーは、前記蓋の開口から突出した前記定量筒の凸部に固定されており、前記補助レバーの操作によって前記定量筒は前記円筒部内において前記閉位置と前記開位置との間で回動し、前記固定手段によって、前記飲料用補助コックは前記コックに固定され、前記コックの注出口は、前記第１開口と連通した状態となり、前記閉位置では、前記注ぎ口は前記定量筒の側面によって閉じられており、前記第１開口と前記第２開口とは重なり合って、前記定量筒内と前記コックの注出口とが連通され、飲料が前記注出口から前記定量筒内へと注出され、前記定量筒内が飲料によって充填され、前記開位置では、前記第１開口が前記定量筒の側面によって閉じられており、前記第３開口と前記注ぎ口とが重なり合って前記定量筒内は外部と連通され、前記定量筒内の飲料が外部へと注出されることにより、前記補助レバーの簡単な操作で、確実に一定量の飲料を注出することが可能となる。
【００１６】
前記コックは、前記コック本体から左右に突出する２つのレバー、および、前記注出口を開閉する弁を有し、前記レバーを下から上に押圧することにより前記弁が開き、前記レバーの押圧を解除すると、前記弁に作用している弾性力によって前記弁が閉じられて前記レバーが下方へと移動し、前記コック接続部は、前記円筒部から上方に突出している壁からなるコック収容部であり、前記固定手段は、前記コックと係合する第１係合部、および、前記本体と係合する第２係合部を有する固定用キャップであり、前記固定用キャップが前記コックおよび前記本体と係合されて固定されることにより、前記飲料用補助コックは前記コックに取り付けられ、この時、前記コックの２つのレバーが、前記収容部の壁の上端で上方に押圧され、前記弁が開いた状態であり、前記コックの注出口は、前記第１開口と連通していることにより、前記コックのレバーを操作することなく、前記補助コックの補助レバーを操作するだけで、一定量の飲料を注出が可能となる。
【００１７】
前記コックは、前記コック本体から左右に突出する２つのレバー、および、前記注出口を開閉する弁を有し、前記レバーを下から上に押圧することにより前記弁が開き、前記レバーの押圧を解除すると、前記弁に作用している弾性力によって前記弁が閉じられて前記レバーが下方へと移動し、前記コック接続部は、前記円筒部から上方に突出しているコック収容部、および、前記コック収容部と一体になった係合部からなり、前記コック収容部は、前記コックのコック本体、２つのレバー、および、注出口を収容し、前記コック収容部は内部に２つの仕切壁が設けられ、２つの前記仕切壁の間の内側の空間に、前記コック本体が収容され、前記仕切壁の上端に前記レバーが当接した状態で、前記コック収容部の前記仕切壁の外側の空間に前記レバーが収容され、前記コック収容部の側面には、係合手段が設けられており、前記係合部は、前記コックの鍔部を上方からスライドさせて係合させるために、前記鍔部の厚みに合わせた凹部が対向するように２つ設けられており、前記固定手段は、前記本体のコック収容部と係合する係合部を有する固定用キャップであり、前記固定用キャップが前記コック収容部の係合手段と係合されて固定されることにより、前記飲料用補助コックは前記コックに取り付けられ、この時、前記コックの２つのレバーが、前記収容部の仕切壁の上端で上方に押圧され、前記弁が開いた状態であり、前記コックの注出口は、前記第１開口と連通していることにより、前記固定手段を前記本体だけに係合させて固定するだけで、確実に、そして、強固に固定することが可能となる。
【００１８】
前記定量筒の円筒形状の側面は、一端の開口に向かって厚みが薄くなっていることにより、前記定量筒の外周面と前記本体の円筒部の内周面との間に隙間が生じて、前記定量筒がスムーズに回動できるようになる。
【００１９】
前記定量筒の開口の縁に水平方向に突出する突起が設けられており、前記突起によって、前記定量筒の端部と、前記円筒部の壁との間に隙間が生じていることにより、前記定量筒と前記本体の円筒部との接触面積を低減し、前記定量筒がスムーズに回動できるようになる。
【００２０】
前記本体の円筒部内に、前記定量筒の開口の縁の突起と当接するストッパーを設け、前記定量筒の回動範囲を制限することにより、前記補助レバーを操作した際に、前記定量筒を確実に、開位置と閉位置で停止させることができるので、前記飲料用補助コックを簡単に使用することができるようになる。
【００２１】
前記円筒部および前記定量筒は、前記開位置で上方で互いに連通する通気孔をそれぞれ有することにより、よりスムーズに飲料の注出が可能となる。
【図面の簡単な説明】
【００２２】
【図１】レバーが閉位置にある状態の本発明の飲料用補助コックの斜視図である。
【図２】飲料用補助コックの固定用キャップを取り付ける前の状態の斜視図である。
【図３】レバーが開位置の時の飲料用補助コックの斜視図である。
【図４】飲料用補助コックを取り付けるコックの斜視図である。
【図５】レバーが開位置の時の飲料用補助コックの断面図である。
【図６】レバーが閉位置の時の飲料用補助コックの断面図である。
【図７】図５のＡ部の拡大図である。
【図８】図５のＢ部の拡大図である。
【図９】レバーが閉位置の時の飲料用補助コックの後端部の断面図である。
【図１０】レバーが開位置の時の飲料用補助コックの後端部の断面図である。
【図１１】別の形態の飲料用補助コックの断面図である。
【図１２】レバーが閉位置にある状態の本発明の別の形態の飲料用補助コックの斜視図である。
【図１３】飲料用補助コックの固定用キャップを取り付ける前の状態の別の形態の飲料用補助コックの斜視図である。
【図１４】レバーが開位置の時の別の形態の飲料用補助コックの斜視図である。
【図１５】レバーが開位置の時の別の形態の飲料用補助コックの断面図である。
【図１６】図１５のＣ−Ｃ断面図である。
【発明を実施するための形態】
【００２３】
本発明の飲料用補助コック１を、図を用いて以下に詳細に説明する。図１〜３が本発明の飲料用補助コック１の斜視図であり、図５，６が断面図である。
【００２４】
本発明の飲料用補助コック１は、袋などの飲料収容体（図示せず）に固定されたコック７１に取り付けて使用するものであり、前記コック７１を間接的に操作して袋などの飲料収容体の中に収容された飲料を一定量注出するために用いられる。
【００２５】
本発明の飲料用補助コック１を説明する前に、飲料用補助コック１を取り付ける、袋などの飲料収容体の側面に固定されたコック７１について説明する。前記コック７１は、図４に示すように、コック本体７２、前記コック本体７２から左右に突出した２つのレバー７３（図４には一方だけを図示）、飲料を注出するための注出口７４、ばねなどの弾性手段（図示せず）によって前記注出口７４を開閉する弁（図示せず）、前記飲料収容体に前記コック７１を固定するための取付部７５、前記コック本体７２と前記取付部７５とを接続し内部を飲料が通過する通路７６を有している。前記取付部７５は、前記鍔部７７を有しており、そして、前記取付部７５内を前記通路７６は延伸し、前記飲料収容体の内部と接続されており、前記飲料収容体内の飲料が前記コック本体７２へと送られる。
【００２６】
前記コック本体７２の内部には、前記通路７６から前記注出口７４へと繋がる飲料用の通路が設けられており、飲料収容体内の飲料は、前記通路７６を通り、前記コック本体７２内部の通路を通過して前記注出口７４から注出される。通常時は、ばねなどの弾性手段による弾性力が作用して前記弁は前記注出口７４を閉じているが、２つの前記レバー７３を下から上に押圧すると、前記弁が開いて飲料が前記注出口７４から注出することができる。前記レバーに３３には弁を閉じる方向に（下方に）弾性力が作用しているので、２つの前記レバー７３を離すと、２つの前記レバー７３は下方へと移動し、再び弁が閉じた状態となり、飲料の注出は停止される。前記コック７１の形態については、限定するものではなく、様々な形態が可能である。
【００２７】
次に、本発明の飲料用補助コック１について説明する。前記飲料用補助コック１は、図５，６に示すように、本体２、定量筒３、蓋４、補助レバー５、および、前記コック７１に固定するための固定手段である固定用キャップ６を有し、図１，２に示すように、前記コック７１に取り付けて、補助レバー５を操作することで、前記飲料収容体内の飲料を一定量注出するために使用される。
【００２８】
前記本体２は、図５，６に示すように、水平に延伸する円筒部２１、および、前記円筒部２１から上方に突出している壁からなるコック収容部２２であるコック接続部を有し、前記円筒部２１および前記コック収容部２２は一体形成されている。前記円筒部２１は、一端は壁２３で閉塞され、他端は開口２４となっており、前記開口２４は、前記定量筒３を前記円筒部２１内に挿入するために使用され、前記定量筒３が前記円筒部２１内に収容された後、前記開口２４は前記蓋４によって閉じられる。
【００２９】
前記円筒部２１の頂部には、前記円筒部２１内と前記コック収容部２２とを連通する第１開口２５が設けられており、さらに、前記円筒部２１の底部には、下方に突出する注ぎ口２６が設けられている。前記第１開口２５を通じて、前記コック７１の注出口７４から注出される飲料が、前記定量筒３内に供給され充填される。そして、前記定量筒３内に充填された一定量の飲料は、前記注ぎ口２６を通じて外部に注出される。前記第１開口２５と前記注ぎ口２６は、図５，６に示すように、上下に位置するが、互いに対向するのではなく、少しずれた位置関係にある。前記第１開口２５および前記注ぎ口２６は、前記定量筒３によって開閉され、両方が同時に開いた状態になることは無い。前記円筒部２１の頂部にはさらに、通気孔４３が設けられている。
【００３０】
前記円筒部２１の開口２４側の外周面には、図８に示すように、前記蓋４を取り付けるための係合手段であるねじ山２７、および、前記蓋４の縁が当接する鍔部２８が形成されている。これにより、前記蓋４は前記円筒部２１に螺合によって簡単に、そして確実に固定される。
【００３１】
前記コック収容部２２は、前記コック７１のコック本体７２の一部および注出口７４を内部に収容するために、前記コック本体７２の形状に合わせた円筒形状の壁を有し、さらに、図９，１０に示すように、前記コック７１の通路７６に合わせて、円筒形状の壁の一部を略Ｕ字状に切欠いた形状となっている。そして、前記コック収容部２２の壁の上端は、前記コック７１のレバー７３を上方に押すために用いられ、前記飲料用補助コック１を前記コック７１に取り付けている状態では、図２に示すように、前記コック収容部２２の壁の上端は常に前記レバー７３と当接して上方に押圧している状態となっている。また、前記コック収容部２２の円筒形状の壁には、図２に示すような、前記固定用キャップ６を固定するための係合手段であるスリット２９が、図９，１０に示すように、対向するように２つ設けられている。
【００３２】
図５，６，７に示すように、前記コック収容部２２の底面（前記円筒部２１の外周面となる）に前記第１開口２５を取り囲むように、平らなリング状のパッキン３０が設けられている。前記パッキン３０を設けることにより、前記飲料用補助コック１を前記コック７１に取り付けた時、前記コック７１の注出口７４が前記パッキン３０上に当接され、前記注出口７４から注出される飲料が周囲に漏れることなく、前記第１開口２５へと流れるようになる。
【００３３】
前記本体２の円筒部２１内に収容される前記定量筒３は円筒形状を有し、図５，６，７に示すように、一端は開口３１となっており、他端は壁３２で閉塞されており、前記定量筒３内の容積によって前記飲料用補助コック１による１回の飲料の注出量が決定される。従って、前記飲料用補助コック１の用途などに応じて決められた１回の注出量によって、前記定量筒３の大きさが決定され、それに合わせて他の部材の大きさも順次決定することになる。
【００３４】
前記定量筒３は、図５，６，７に示すように、前記本体２の円筒部２１内に回動可能に収容されているが、この時、前記定量筒３の開口３１は前記円筒部２１の壁２３側に位置し、前記定量筒３の壁３２は、前記円筒部２１の開口２４側に位置するように、前記定量筒３は配置されている。これにより、前記定量筒３内は閉鎖されて、飲料を収容する空間として機能し、さらに、前記定量筒３内の密閉度を高めることができる。
【００３５】
前記定量筒３を前記補助レバー５によって回動するために、前記壁３２の外側面には水平方向に突出する凸部３５が設けられている。前記定量筒３の凸部３５を用いて前記補助レバー５を固定すると、前記補助レバー５の操作によって、前記定量筒３を、飲料を前記定量筒３内に充填する閉位置と、充填された一定量の飲料を外部に注出する開位置との間で回動させることができるようになる。
【００３６】
前記定量筒３の円筒形状の側面には、前記閉位置において前記第１開口２５と重なり合う第２開口３３、および、前記開位置において前記注ぎ口２６と重なり合う第３開口３４が設けられている。前記第２開口３３および前記第３開口３４とは、前記定量筒３の側面において同一円周上ではないが９０°ずれた位置に配置されており、前記第１開口２５および前記注ぎ口２６が上下に位置していることから、前記定量筒３は９０°の範囲を回動することになる。さらに、前記定量筒３の円筒形状の側面には、図５に示すように、前記開位置において前記円筒部２１の頂部に設けられた前記通気孔４３と重なり合う通気孔４４が設けられている。
【００３７】
前記第２開口３３および前記第３開口３４の位置関係は、図５，６に記載の形態に限定するものではなく、例えば、同一円周上に対向するように設けることも可能である。この場合、前記第１開口２５と前記注ぎ口２６を同一円周上に対向するように配置すれば、その他の構造は特に変更することなく、前記飲料用補助コック１を構成することができる。また、前記通気孔４４の位置についても図５に記載の形態に限定するものではなく、前記開位置において前記定量筒３内に空気を取り入れることができる位置であればよく、前記通気孔４３とともに変更可能である。
【００３８】
前記定量筒３の壁の厚みは、図７に示すように、前記壁３２付近を除いて、前記壁３２側から前記第２開口３３が設けられた付近までは一定であり、その後、前記開口３３に向かって内径はそのままで、外径だけが徐々に小さくなり、徐々に厚みが薄くなる形状を有している。これにより、前記定量筒３の外周面と前記本体２の円筒部２１の内周面との間に隙間が生じて、前記定量筒３をスムーズに回動させることができるようになる。
【００３９】
前記定量筒３の開口３３の縁には、図７に示すような水平方向に突出する突起３７が、図９に示すように、等間隔で４つ設けられている。前記突起３７を設けることによって、前記定量筒３の開口３３の縁は、図７に示すように、前記本体２の円筒部２１の壁２３と当接せずに、前記突起３７が前記壁２３と当接することになり、前記定量筒３と前記本体２の円筒部２１との接触面積が少なくなり、前記定量筒３をさらにスムーズに回動させることができるようになる。
【００４０】
前記本体２の円筒部２１の内部には、前記突起３７と当接する１つのストッパー２０が設けられている。図７に示すように、前記ストッパー２０は、前記円筒部２１の内面の壁２３側の端部の底部に設けられており、図９，１０に示すように、前記定量筒３が回動した時に、４つの前記突起３７の内、２つの突起３７’，３７’’と当接する位置関係にある。閉位置へと、図１０の矢印の方向に前記定量筒３を回動させると、図９に示すように、前記突起３７’’が前記ストッパー２０と当接して回動が停止され、前記定量筒３を開位置へと、図９の矢印の方向に回動させると、図１０に示すように、前記突起３７’が前記ストッパー２０と当接して回動が停止される。このように、２つの前記突起３７’、３７’’および前記ストッパー２０によって前記定量筒３の回動を所定の範囲内（図９の場合、約９０°の範囲内）に制限することができるので、前記補助レバー５を所定の位置に簡単に停止させることができるようになる。
【００４１】
図８に示すように、前記定量筒３の壁３２付近の外周面にはＯリング３６が嵌入されており、前記Ｏリング３６によって、前記定量筒３の外周面と前記本体２の円筒部２１の内周面との間を密閉し、前記定量筒３内に収容された飲料が外部に漏出するのを防止する。前記Ｏリング３６を前記定量筒３の外周面に嵌入するために、前記定量筒３の内周面に段差を設けて壁の一部の厚みを厚くして外周面に溝を設けている。
【００４２】
前記蓋４は、前記定量筒３を収容した前記本体２の円筒部２１の開口２４を閉じて、前記定量筒３を保持するために用いられ、図８に示すように、前記円筒部２１のねじ山２７と螺合するねじ山４２が設けられている。前記蓋４は前記円筒部２１に螺合によって固定され、前記定量筒３は前記円筒部２１内に保持される。前記蓋４には、前記定量筒３の凸部３５を外部に突出させるために開口４１が設けられており、前記蓋４を閉じた時に、図５，６に示すように、前記開口４１から前記凸部３５が水平方向に突出した状態となる。
【００４３】
前記補助レバー５は、図１に示すように、円柱部５１と前記円柱部５１から延伸するレバー部５２とから構成され、図５，６に示すように、前記補助レバー５は、前記蓋４の開口４１から突出した前記定量筒３の凸部３５が、前記円柱部５１の係合孔５３に嵌合されることで、前記定量筒３に固定されている。これにより、前記補助レバー５を操作すると前記定量筒３が前記本体２の円筒部２１の内で回動するようになる。前記補助レバー５は、正面から見た時、前記閉位置において前記レバー部５２が前記円柱部５１から左に水平に延伸する状態（図１の状態）になり、前記開位置において前記レバー部５２が前記円柱部５１から下方に垂直に延伸する状態（図３の状態）になるように取り付けられている。
【００４４】
前記固定用キャップ６は、図２に示すように、円形の上面６１および円筒形の一部を切欠いた形状の側面６２から構成されている。前記側面６２は、円筒形の一部（全周の約１１０°の範囲）を切欠き、さらに、残りの部分から、前記コック７１のレバー７３が挿入される範囲を切欠いた形状を有している。そして、前記上面６１には、図５，６に示すように、下方に突出するフックである第１係合部６３が設けられており、前記側面６２の内側には、図２に示すようなリブである第２係合部６４が、対向するように２つ設けられている。
【００４５】
前記固定用キャップ６は、図２に示すように前記コック７１を前記本体２のコック収容部２２に収容した後に、前記本体２および前記コック７１に取り付けられる。この時、前記コック７１は、前記コック収容部２２の壁の上端によって、前記レバー７３が上方に押圧された状態になっている。そして、前記固定用キャップ６は、前記本体２のコック収容部２２の外周に当接するように取り付け、前記第２係合部６４の２つのリブを、前記コック収容部２２の２つのスリット２９に挿入して係合し、前記第１係合部６３のフックを、図５，６に示すように、前記コック７１のコック本体７２の上部の段差に係合させる。これにより、前記固定用キャップ６は、前記本体２と前記コック７１とに同時に係合されて固定される。このように、前記固定用キャップ６を前記本体２および前記コック７１に係合させることにより、前記コック７１は、前記飲料用補助コック１を取り付けている間は、前記レバー７３を上方に押圧された状態が保持されることになる。
【００４６】
前記固定用キャップ６の形状および係合部の構造は、特に限定するものではなく、前記固定用キャップ６は、前記本体２と前記コック７１とに同時に係合されて固定できる形状および係合部の構造であればよい。係合部の構造に合わせて、前記本体２のコック収容部２２のスリット２９についても他の手段を用いることができる。
【００４７】
本発明の飲料用補助コック１の各部材は、主に樹脂によって成形されることが好ましいが、材質について特に限定するものではない。また、各部材の構造については適宜変更可能である。
【００４８】
そして、前記飲料用補助コック１は、前記第２開口３３および前記第３開口３４を１つの開口３８で兼用する構造とすることも可能であることから、定量筒３に１つの開口３８を設けた形態の飲料用補助コック１’について簡単に説明する。前記飲料用補助コック１’は、図１１に示すように、定量筒３の側面には１つの開口３８と通気孔４４を設け、本体２については、図１１に示すように、円筒部２１に、第１開口２５と注ぎ口２６を同一円周上に対向するように設ける。その他の部材、蓋４、補助レバー５、および、固定用キャップ６については飲料用補助コック１と同じ構造であることから説明は省略する。
【００４９】
前記飲料用補助コック１’は、前記定量筒３に１つの開口３８しか存在しないことから、前記開口３８は、前記本体２の第１開口２５および注ぎ口２６の両方と重なり合い、前記コック７１の注出口７４から前記定量筒３内へと飲料を抽出し、さらに、図１１に示すように、前記定量筒３内の一定量の飲料を本体２の注ぎ口２６を通じて外部に抽出するために用いられなければならない。そのため、前記定量筒３の回動範囲は、１８０°となるので、前記補助レバー５は、開位置では図１１に示すようにレバー部５２は下方に位置し、開位置では上方に位置する（図示せず）ようになる。
【００５０】
そして、前記本体２の円筒部２１にストッパー２０を設ける場合、前記定量筒３の開口３３の縁に設ける突起３７は、４つではなく、対向する２つだけにする必要がある。これにより、前記定量筒３は回動範囲を１８０°に制限され、前記ストッパー２０によって前記定量筒３を閉位置と開位置で確実に停止させることができるようになる。このような１つの開口３８を設けた形態の飲料用補助コック１’は、回動範囲が１８０°となるだけで、飲料用補助コック１と同じように機能することができる。
【００５１】
次に、本発明の飲料用補助コック１の使用方法について説明する。前記飲料用補助コック１を前記コック７１に取り付ける際には、前記固定用キャップ６は、前記本体２から取り外しておく。そして、前記補助レバー５を操作して、前記定量筒３を閉位置に回動させておく。これより、前記第１開口２５と前記第２開口３３とは重なり合い、前記定量筒３内は、外部と連通した状態となっている。このような状態の飲料用補助コック１を前記コック７１に取り付ける。
【００５２】
前記飲料用補助コック１を前記コック７１に取り付けるために、前記本体２のコック収容部２２を前記コック７１の注出口７４の下方に配置し、その後、前記本体２を上方へと移動させて前記コック収容部２２内に前記コック７１のコック本体７２を挿入する。この時、前記注出口７４を、前記本体２の第１開口２５および前記定量筒３の第２開口３３と同軸上に配置する。
【００５３】
そして、前記コック収容部２２の壁の上端が前記コック７１のレバー７３に当接したら、そのまま前記コック収容部２２の壁の上端で前記レバー７３を上方に押圧し、図２の状態にする。これにより、前記コック７１の弁が開いて前記注出口７４から飲料が注出されるが、この時、前記注出口７４は前記パッキン３０へと押し付けられており、前記注出口７４から注出された飲料は、外部に漏れることなく、前記第１開口２５および前記第２開口３３を通じて、前記定量筒３内に注出される。
【００５４】
前記コック収容部２２内に前記コック７１のコック本体７２を収容し、前記レバー７３を上方に押圧した状態を保持しながら、続いて前記固定用キャップ６の取り付けを行う。前記固定用キャップ６の第１係合部６３のフックを前記コック７１のコック本体７２の上部の段差と係合させ、同時に、前記固定用キャップ６の第２係合部６４の２つのリブを前記コック収容部２２の２つのスリット２９に嵌合させると、前記固定用キャップ６は前記本体２および前記コック７１に係合されて固定され、前記飲料用補助コック１の前記コック７１への取り付けが完了する。
【００５５】
このようにして、前記飲料用補助コック１を前記コック７１に取り付ける作業を行っている間、前記レバー７３は常に上方に押圧されていることから、前記コック７１の注出口７４から前記飲料用補助コック１の定量筒３内へと飲料は注出されている。前記定量筒３内が飲料で充填されると、前記注出口７４から飲料が注出できなくなり、前記注出口７４からの飲料の注出が停止される。そのためには、前記飲料用補助コック１を前記コック７１に取り付ける作業を行っている間は、ある程度の力を加えて前記コック７１に前記本体２を押し付けなければならない。
【００５６】
次に、前記飲料用補助コック１を使用して一定量の飲料を注出する方法について説明する。前記飲料用補助コック１の前記コック７１への取り付けが完了し、前記飲料用補助コック１の定量筒３内に飲料が充填されると、一定量の飲料を抽出できるようになる。一定量の飲料を抽出するために、前記補助レバー５を操作して前記定量筒３を開位置へと回動させる。
【００５７】
前記補助レバー５の操作によって、前記定量筒３は、前記本体２の円筒部２１内で、図９の矢印の方向に回動し、図５に示すように、前記第１開口２５は、前記円筒部２１の側面で閉鎖され、前記注出口７４からの飲料の注出が停止した状態が保持される。そして、前記定量筒３の回動は、図１０に示すように、前記定量筒３の１つの突起３７’が前記円筒部２１のストッパー２０と当接することで停止され、前記定量筒３は開位置への回動が完了する。前記定量筒３が開位置に移動すると、図５に示すように、前記定量筒３の第３開口３４が前記本体２の円筒部２１の注ぎ口２６と重なり、前記定量筒３内の飲料は前記注ぎ口２６から外部へと注出される。この時、図５，７に示すように、前記円筒部２１の通気孔４３と前記前記定量筒３の通気孔４４が重なり合い、前記定量筒３内に空気が入ることから前記飲料の注出がスムーズに行われる。予め前記注ぎ口２６の下方にコップなどを配置しておくと、前記注ぎ口２６を通じて一定量の飲料がコップへと注がれる。
【００５８】
前記注ぎ口２６から前記定量筒３内の飲料が全て注出されると、一定量の飲料の注出は完了する。その後、前記補助レバー５を操作して、前記定量筒３を反対側に、図１０の矢印の方向に回動させて再び閉位置に戻す。１回の操作で前記定量筒３内の飲料を全て注出する必要は無く、一定量以下の量を注出する場合は、全ての飲料を注出する前に前記補助レバー５を操作して前記定量筒３を閉位置に戻す、あるいは、閉位置と開位置との間で前記定量筒３を一時的に停止させることも可能である。
【００５９】
前記補助レバー５を操作して、前記定量筒３を反対側に、図１０の矢印の方向に回動させると、図６に示すように、前記注ぎ口２６は前記定量筒３の側面で閉鎖され、前記定量筒３の回動が、図９に示すように、前記定量筒３の突起３７’’が前記ストッパー２０と当接することで停止され、前記定量筒３は閉位置への回動が完了する。前記定量筒３が閉位置に移動すると、図６に示すように、前記定量筒３の第２開口３３が前記第１開口２５と重なり合い、前記注出口７４から注出された飲料が前記定量筒３内へと移動され、前記定量筒３内が飲料によって再び充填されると、前記飲料用補助コック１は、再び一定量の飲料を注出できる状態になる。
【００６０】
前記飲料用補助コック１を前記コック７１から取り外す際は、前記固定用キャップ６に力を加えて、前記固定用キャップ６の第２係合部６４の２つのリブと前記コック収容部２２の２つのスリットとの係合を解除し、同時に、前記第１係合部６３のフックと前記コック７１のコック本体７２の上部の段差との係合を解除して、前記固定用キャップ６を取り外し、その後、前記本体２を下方に移動させると、前記レバー７３の上方への押圧が解除され、前記コック７１の弁が閉じられて飲料は注出されない状態に戻るので、前記飲料用補助コック１を取り外すことができるようになる。
【００６１】
前記定量筒３内が飲料で充填されているかどうかを外部から確認できるようにするために、前記本体２および前記定量筒３を透明、または、半透明の材料で形成し、外部から前記定量筒３内の飲料を確認できるようにすることも可能である。
【００６２】
このように、本発明の飲料用補助コック１は、補助レバー５の操作によって簡単に一定量の飲料を注出することができるようになる。そのため、従来のコックをより便利に、そして誰でも簡単に使用することができるようになる。さらに、本発明の飲料用補助コック１は、コック７１に着脱可能に取り付けることができるので、繰り返し使用することも可能であり、さらに、分解することで簡単に洗浄することもできるので、長期間使用することも可能である。
【００６３】
次に、前記飲料用補助コック１とは異なる形態の固定手段を用いた飲料用補助コック１０について説明する。飲料用補助コック１０は、定量筒３、蓋４、および、補助レバー５については、前記飲料用補助コック１と同じ構造を用いることから、これらについては詳細な説明を省略し、本体２’を中心に詳細に説明する。また、飲料用補助コック１０を取り付けるコック７１についても、前記飲料用補助コック１と同じ構造を用いて説明する。
【００６４】
飲料用補助コック１０は、図１２〜１４に示すように、本体２’、定量筒３、蓋４、補助レバー５、および、前記コック７１に固定するための固定手段である固定用キャップ６’を有する。
【００６５】
前記本体２’は、水平に延伸する円筒部２１’、および、前記円筒部２１’の頂部に設けられたコック接続部１１を有し、前記円筒部２１’および前記コック接続部１１は一体形成されている。前記円筒部２１’は、一端は壁２３’で閉塞され、他端は開口２４’となっており、前記定量筒３が前記円筒部２１’内に収容された後、前記開口２４’は前記蓋４によって閉じられる。
【００６６】
前記コック接続部１１は、コック収容部１２および係合部１３を有しており、前記コック収容部１２および前記係合部１３は一体に形成されている。前記コック収容部１２は、前記コック７１のコック本体７２、２つのレバー７３、注出口７４を収容する部材である。前記コック収容部１２は内部に２つの仕切壁１４が設けられており、図１６に示すように、２つの前記仕切壁１４の間の内側の空間に、前記コック本体７２が収容され、前記仕切壁１４の上端に前記レバー７３が当接した状態となり、前記コック収容部１２内の前記仕切壁１４の外側の空間に前記レバー７３が収容される。前記コック収容部１２の側面には、固定用キャップ６’を固定するための係合手段であるスリット１５が、図１６に示すように、対向するように２つ設けられている。
【００６７】
前記係合部１３は、前記コック７１に対して下方から上方にスライドさせて、前記コック７１の鍔部７７に係合させる部材であり、前記鍔部７７の厚みに合わせた凹部１６対向するように２つ設けられている。前記鍔部７７の下方から前記係合部１３を上方にスライドさせると、図１６に示すように、前記コック収容部１２内に前記コック本体７２が収容され、前記レバー７３が当接した状態となる。このような状態では、前記飲料用補助コック１０は上下方向には移動可能であるが、水平方向への移動が制限され、より確実に強固に前記飲料用補助コック１０を固定することができる。
【００６８】
前記円筒部２１’の頂部には、前記円筒部２１内と前記コック収容部１２の２つの前記仕切壁１４の間の内側の空間とを連通する第１開口２５’が設けられており、さらに、前記円筒部２１’の底部には、下方に突出する注ぎ口２６’が設けられている。前記第１開口２５’と前記注ぎ口２６’は、図１５に示すように、上下に位置し、少しずれた位置関係にある。前記円筒部２１’の頂部にはさらに、通気孔４３’が設けられている。前記円筒部２１’の開口２４’側の外周面には、図１５に示すように、前記蓋４を取り付けるための係合手段であるねじ山２７’、および、前記蓋４の縁が当接する鍔部２８’が形成されている。
【００６９】
図１５，１６に示すように、前記コック収容部１２の底面（前記円筒部２１’の外周面となる）に前記第１開口２５’を取り囲むように、平らなリング状のパッキン３０’が設けられている。そして、前記本体２’の円筒部２１’の内部には、定量筒３の突起３７と当接する１つのストッパー２０’が設けられており、前記ストッパー２０’と突起３７とによって前記定量筒３の回動範囲を制限することができる。
【００７０】
前記固定用キャップ６’は、図１２〜１４に示すように、上面６１’および側面６２’から構成されている。前記側面６２’は、前記コック収容部１２の外周面に沿った形状を有しており、前記側面６２’の内側には、図１６に示すようなリブである係合部６５が、対向するように２つ設けられている。
【００７１】
前記固定用キャップ６’は、図１３に示すように前記コック７１を前記本体２’のコック収容部１２に収容した後、図１２に示すように、前記コック収容部１２に取り付けられる。この時、前記コック７１は、図１６に示すように、前記コック収容部１２の仕切壁１４の上端によって、前記レバー７３が上方に押圧された状態になっている。そして、前記固定用キャップ６’は、前記本体２’のコック収容部１２の上方から外周に当接するように取り付け、前記係合部６５の２つのリブを、図１６に示すように、前記コック収容部１２の２つのスリット１５に挿入して係合させる。これにより、前記固定用キャップ６’は、前記本体２’に係合されて固定される。このようにして、前記コック７１は、前記固定用キャップ６’によって前記飲料用補助コック１０を取り付けている間は、前記レバー７３を上方に押圧された状態が保持されることになる。
【００７２】
前記飲料用補助コック１０は補助レバー５’の操作によって簡単に一定量の飲料を注出することができるが、飲料を注出する構造については、前記飲料用補助コック１と同じであることから説明は省略する。
【００７３】
このように、前記飲料用補助コック１０は、前記固定用キャップ６’を前記本体２’だけに係合させて固定しているが、前記コック収容部１２の構造によって、確実に、そして、強固に固定することができる。
【符号の説明】
【００７４】
１，１’，１０    飲料用補助コック
２，２’  本体
３        定量筒
４        蓋
５        補助レバー
６，６’  固定用キャップ
１１      コック接続部
１２      コック収容部
１３      係合部
１４      仕切壁
１５      スリット
１６      凹部
２０，２０’  ストッパー
２１，２１’  円筒部
２２      コック収容部
２３，２３’  壁
２４，２４’  開口
２５，２５’  第１開口
２６，２６’  注ぎ口
２７，２７’  ねじ山
２８，２８’  鍔部
２９          スリット
３０，３０’  パッキン
３１          開口
３２          壁
３３          第２開口
３４          第３開口
３５          凸部
３６          Ｏリング
３７          突起
３８          開口
４１          開口
４２          ねじ山
４３，４４    通気孔
５１          円柱部
５２          レバー部
５３          係合孔
６１，６１’  上面
６２，６２’  側面
６３        第１係合部
６４        第２係合部
６５        係合部
７１        コック
７２        コック本体
７３        レバー
７４        注出口
７５        取付部
７６        通路
７７        鍔部
【図１】
2020050419.tif 000003
【図２】
2020050419.tif 000004
【図３】
2020050419.tif 000005
【図４】
2020050419.tif 000006
【図５】
2020050419.tif 000007
【図６】
2020050419.tif 000008
【図７】
2020050419.tif 000009
【図８】
2020050419.tif 000010
【図９】
2020050419.tif 000011
【図１０】
2020050419.tif 000012
【図１１】
2020050419.tif 000013
【図１２】
2020050419.tif 000014
【図１３】
2020050419.tif 000015
【図１４】
2020050419.tif 000016
【図１５】
2020050419.tif 000017
【図１６】
2020050419.tif 000018